(57)【要約】【課題】  棚板を所定の位置で保持する機能を有し、棚板を引き出すときにはワンアクションで容易に引き出せるスライド棚の提供。【解決手段】  ベース１と、ベース上に前後方向にスライド可能に設けた棚板２とを備え、棚板２は、下面手前側の左右方向中間部にラッチ装置３を備え、ラッチ装置３は、ラッチ爪４と操作部５を有し、ベース１は、ラッチ爪４と係合する係合部６を有し、操作部５を上側に引き上げるとラッチ爪４がベース１の係合部６から外れて棚板２が引き出し自在になる。【選択図】      図１
2011245222.tif 000002
【特許請求の範囲】
【請求項１】
ベースと、ベース上に前後方向にスライド可能に設けた棚板とを備え、棚板は、下面手前側の左右方向中間部にラッチ装置を備え、ラッチ装置は、ラッチ爪と操作部を有し、ベースは、ラッチ爪と係合する係合部を有し、操作部を上側に引き上げるとラッチ爪がベースの係合部から外れて棚板が引き出し自在になることを特徴とするスライド棚。
【請求項２】
ラッチ装置は、棚板の下面にラッチ持ち出し部を介して設けてあり、ラッチ持ち出し部は、下面側に奥側に向かうにつれて上方に傾斜したテーパー部をラッチ爪よりも上方に有し、ベースは、ラッチ爪との係合部がラッチ爪の上方に位置し、係合部よりも上方にテーパー部と当接する当接部を有することを特徴とする請求項１記載のスライド棚。
【請求項３】
支柱にブラケットを取付け、ブラケットに請求項１又は２記載のスライド棚を載置したことを特徴とする商品陳列棚。
【発明の詳細な説明】
【技術分野】
【０００１】
本発明は、棚板を前方に引き出すことのできるスライド棚と、このスライド棚を備えた商品陳列棚に関する。
【背景技術】
【０００２】
スーパーやドラッグストア等に設置される商品陳列棚に商品を補充する際には、古い商品を棚板の手前に移動させ、新しいものを棚板の奥に補充するようにしており、この作業を容易にするために棚板を前方に引き出せるようにしたものがある。
そのようなスライド棚の従来例として特許文献１には、棚板前部の左隅の位置に、棚板を奥側にスライドさせた状態でロックするロック部材を設けたものが記載されている。このスライド棚では、ロック部材が棚板前部の左隅の位置にあるため、棚板を引き出す際には左手の指でロック部材の操作部を操作してロック部材のロックを解除しつつ、右手で棚板の前部の右側を掴んで引き出さなければならないため、操作が煩わしいと共に棚板がまっすぐにスライドせず、棚板の引き出しが容易ではなかった。
【先行技術文献】
【特許文献】
【０００３】
【特許文献１】特開平５−３１７１４２号公報
【発明の概要】
【発明が解決しようとする課題】
【０００４】
本発明は以上に述べた実情に鑑み、棚板を所定の位置で保持する機能を有し、棚板を引き出すときにはワンアクションで容易に引き出せるスライド棚及び商品陳列棚の提供を目的とする。
【課題を解決するための手段】
【０００５】
上記の課題を達成するために請求項１記載の発明によるスライド棚は、ベースと、ベース上に前後方向にスライド可能に設けた棚板とを備え、棚板は、下面手前側の左右方向中間部にラッチ装置を備え、ラッチ装置は、ラッチ爪と操作部を有し、ベースは、ラッチ爪と係合する係合部を有し、操作部を上側に引き上げるとラッチ爪がベースの係合部から外れて棚板が引き出し自在になることを特徴とする。
【０００６】
請求項２記載の発明によるスライド棚は、請求項１記載の発明の構成に加え、ラッチ装置は、棚板の下面にラッチ持ち出し部を介して設けてあり、ラッチ持ち出し部は、下面側に奥側に向かうにつれて上方に傾斜したテーパー部をラッチ爪よりも上方に有し、ベースは、ラッチ爪との係合部がラッチ爪の上方に位置し、係合部よりも上方にテーパー部と当接する当接部を有することを特徴とする。
【０００７】
請求項３記載の発明による商品陳列棚は、支柱にブラケットを取付け、ブラケットに請求項１又は２記載のスライド棚を載置したことを特徴とする。
【発明の効果】
【０００８】
請求項１記載の発明によるスライド棚は、棚板の下面手前側の左右方向中間部にラッチ装置を備え、ラッチ装置のラッチ爪がベースの係合部と係合することで棚板を所定の位置に保持でき、棚板を引き出すときには、棚板下面のラッチ装置の操作部に指を掛けるようにして棚板前部の左右方向中間部を掴めば、操作部が上側に引き上げられてラッチ爪が係合部から外れるので、そのまま棚板を引き出すことができ、ラッチ解除と棚板の引き出しをワンアクションで容易に行える。ラッチ装置が棚板の左右方向中間部にあって、棚板前部の左右方向中間部を掴んで引き出すので、幅の広い棚板でもまっすぐに容易に引き出せる。
【０００９】
請求項２記載の発明によるスライド棚は、ラッチ装置が棚板の下面にラッチ持ち出し部を介して設けてあり、ラッチ持ち出し部は、下面側に奥側に向かうにつれて上方に傾斜したテーパー部をラッチ爪よりも上方に有し、ベースは、ラッチ爪との係合部がラッチ爪の上方に位置し、係合部よりも上方にテーパー部と当接する当接部を有することで、棚板が荷重によって撓みラッチ装置の位置が下がっても、ベースの係合部もテーパー部に押されて一緒に下がるので、ラッチ爪が係合部から外れない。テーパー部でベースの当接部と当接するので、棚板を引き出すときに摩擦が生じにくく、引き出しを妨げない。
【００１０】
請求項３記載の発明によるスライド棚は、支柱に取付けたブラケットに請求項１又は２記載のスライド棚を載置したので、棚板を片手でワンアクションで且つまっすぐに容易に引き出すことができ、商品の補充が容易に行える。
【図面の簡単な説明】
【００１１】
【図１】（ａ）は図２のＡ−Ａ断面図であり、（ｂ）は棚板を引き出すときの状態を示している。
【図２】スライド棚の平面図である。
【図３】スライド棚の正面図である。
【図４】スライド棚の側面図である。
【図５】（ａ）は図３のＢ−Ｂ断面図であり、（ｂ）は棚板を引き出した状態を示している。
【図６】棚板を取外すときの状態を示す縦断面図である。
【図７】スライド棚の分解斜視図である。
【図８】スライド棚の設置手順を示す斜視図である。
【図９】（ａ）は商品陳列棚の正面図であり、（ｂ）は同側面図である。
【図１０】（ａ）は本発明のスライド棚の棚板が荷重を受けて撓んだときの状態を示し、（ｂ）は比較例としてラッチ持ち出し部にテーパー部が無い場合に棚板が同じように撓んだときの状態を示している。
【図１１】（ａ）はベースのラッチ係合部の他の実施形態を示す縦断面図であり、（ｂ）はこのときのベースの横材の斜視図である。
【発明を実施するための形態】
【００１２】
以下、本発明の実施の形態を図面に基づいて説明する。図９は、本発明の商品陳列棚の一実施形態を示している。この商品陳列棚は、スーパーやホームセンター等に設置されるものであって、基台１５の後部の左右両側に支柱１１，１１が起立して設けてあり、支柱１１は前面に縦長のスリット状の係止孔１６が上下方向に間隔をおいて多数形成してあり、支柱１１の係止孔１６に爪１７を係止してブラケット１２が取付けてあり、左右の支柱１１，１１に取付けたブラケット１２，１２にスライド棚１０が載置してある。スライド棚１０の高さ及び段数は適宜調節することができる。スライド棚１０後方の支柱１１，１１間には、背板１４が設けてある。
【００１３】
スライド棚１０は、図２，３，７に示すように、ベース１と、ベース１上に前後方向にスライド可能に設けた棚板２とで構成されている。
ベース１は、図３，７に示すように、左右両側に前後方向にのびるフレーム１８，１８を備え、左右のフレーム１８，１８の中間部に横材１９が架設してある。フレーム１８は、ブラケット載置部２０とレール部２１とを左右に隣接して備える。ブラケット載置部２０は、下向きに開口したコ字形断面になっている。ブラケット載置部２０の後端部上面には係止爪２２が突出して設けてあり、図４に示すように、係止爪２２を支柱１１の係止孔１６に係止させることで、スライド棚１０が外れたり後部が浮き上がったりするのを防いでいる。レール部２１は、図７に示すように、左右方向の内側が開放した略コ字形断面となっており、レール部２１の側壁２１ａの前部にローラー２３が取付けてある。レール部２１の上壁２１ｂは、前部に切り欠き２８が設けてある。横材１９は、図１（ａ）に示すように、上面側に前方に張り出す張り出し部２４が設けられ、その先端部を後方斜め下向きに折り返して折返し部６が設けてあり、折返し部６の先端部に後述するラッチ装置３のラッチ爪４が係合するようにしている。
【００１４】
棚板２は、図３，５に示すように、下面の左右両側にレール部２５が前後方向に設けてある。レール部２５は、左右方向の外側が開放した略コ字形断面となっており、レール部２５の側壁２５ａの後部にローラー２６が取付けてある。レール部２５の下壁２５ｃは後部には切り欠き３３が設けてある。ベース１のレール部２１と棚板２のレール部２５とは、図３に示すように開放部を向き合わせて組み合い、図５に示すように、ベース１のレール部２１に取り付けたローラー２３が棚板２のレール部２５の上壁２５ｂの下面に当接し、棚板２のレール部２５に取り付けたローラー２６がベース１のレール部２１の下壁２１ｃの上面に当接しており、棚板２は前後２箇所のローラー２３，２６で支持されて前後方向に軽くスライドさせることができる。図５（ａ）に示す棚板２が最も後退した状態では、ベース１のレール部２１に設けた後ろ壁２１ｄに棚板２のレール部２５に取り付けたローラー２６が当接する。棚板２のレール部２５の側壁２５ａにはストッパー２７が側方に突出して設けてあり、図５（ｂ）に示すように、ストッパー２７がベース１側のローラー２３に当接するまで棚板２を前方に引き出せる。なお、図６（ａ）に示すように、棚板２を最大限引き出してから棚板前部を上方に持ち上げ、その後、図６（ｂ）に示すように、ベース１のレール部２１の上壁２１ｂに形成された切り欠き２８より棚板２側のローラー２６を抜くことで、棚板２をベース１から取外すことができる。
【００１５】
棚板２の下面の手前側の左右方向中央部には、図２，３に示すように、ラッチ持ち出し部７を介してラッチ装置３が設けてある。ラッチ装置３は、図１（ａ）に示すように、前後方向にのびる棒状のレバー２９を中間部で左右方向の軸３０で回動自在に軸支して設けてあり、該レバー２９の後部上面側に略三角形状のラッチ爪４が形成され、レバー２９の前部が操作部５となっている。レバー２９は、ラッチ爪４が上向きに回動する向きにバネ３１で付勢されており、棚板２を後方にスライドさせると、ラッチ爪４がベース１の横材１９の前部に設けられた折返し部６の先端部に係合し、棚板２が後退限で保持される。
棚板２を前方に引き出す際には、図１（ｂ）に示すように、ラッチ装置３の操作部５に指３２を掛けるようにして棚板２の前部の左右方向中央部を掴み、すると操作部５が上側に引き上げられてラッチ爪４がベース１の折返し部６から外れるので、後はそのまま（掴んだまま）前方に引っ張ることで棚板２を素早く容易に引き出すことができる。
【００１６】
ラッチ持ち出し部７の左右の側壁７ａには、図１（ａ）に示すように、下面側に奥側に向かうにつれて上方に傾斜したテーパー部８をラッチ爪４よりも上方に有している。棚板２を後退限までスライドさせラッチ爪４がベース１の折返し部６に係合した状態では、ベース１の横材１９に形成された張り出し部２４と折返し部６との角部９が前記テーパー部８に当接ないし近接している。
棚板２に商品を陳列すると、棚板２はその荷重によって下方に撓み、特にラッチ装置３が設けてある左右方向中央部で撓みが大きくなる。ラッチ持ち出し部７に上記のようなテーパー部８が無い場合には、図１０（ｂ）に示すように、棚板２が撓んでラッチ装置３の位置が下に移動すると、ラッチ爪４がベース１の折返し部６から外れるおそれがある。しかし本スライド棚１０では、図１０（ａ）に示すように、棚板２が荷重によって撓み、ラッチ装置３が下に移動しようとしたときに、ラッチ持ち出し部７のテーパー部８がベース１の前側の角部９に当たることで、ラッチ装置３と折返し部６が一緒に下がるため、ラッチ爪４がベース１の折返し部６から外れることがない。また、テーパー部８でベース１と当接するようにしているので、棚板２を引き出す際にテーパー部８とベース１との摩擦が生じにくく、棚板２をスムーズに引き出すことができる。
【００１７】
次に、図８に即して本スライド棚１０の設置手順を説明する。まず図８（ａ）に示すように、左右の支柱１１，１１の係止孔１６に爪１７を引っ掛けてブラケット１２，１２を取付ける。次にベース１を、図８（ｂ）に示すように、両側のブラケット載置部２０，２０をブラケット１２，１２に載せながら、後部の係止爪２２，２２を支柱１１，１１の係止孔１６に引っ掛けて取付ける。次に、図８（ｃ）に示すように、棚板２のローラー２６をベース１のローラー２３の後ろに落とし込む。その後、図８（ｄ）に示すように、棚板２を奥までスライドさせると、図１（ａ）に示すようにラッチ爪４がベース１の折返し部６に係合し、棚板２が後退限の位置で保持される。
【００１８】
以上に述べたように本スライド棚１０は、棚板２下面に設けたラッチ装置３により棚板２を後退限の位置で安定して保持でき、ラッチを解除して棚板２を前方に引き出すことで商品の補充が容易に行える。ラッチ装置３は、棚板２の下面の手前側の左右方向中央部に設けてあって、棚板２を引き出す際には、図１（ｂ）に示すように、ラッチ装置３の操作部５に指３２を掛けて棚板２の前部の左右方向中央部を掴んで引っ張ることで、ラッチ装置３の解除と棚板２の引き出しをワンアクションで容易に行うことができる。ラッチ装置３が棚板２の左右方向中央部に設けてあって、棚板２を引き出す際に棚板２前部の左右方向中央部を掴むことになるので、幅の広い棚板２であっても片手でまっすぐに容易に引き出すことができる。しかも棚板２が荷重によって撓み、ラッチ装置３が下に下がろうとしても、図１０（ａ）に示すように、ラッチ持ち出し部７に設けたテーパー部８がベース１の折返し部６の上方の角部９に当たることで、ラッチ装置３と一緒にベース１の折返し部６も下がるため、ラッチ爪４がベース１の折返し部６から外れない。さらに、テーパー部８でベース１と当たることで、棚板２を引き出す際にテーパー部８とベース１との摩擦が生じにくく、棚板２の引き出しを妨げない。ラッチ装置３がラッチ持ち出し部７を介して棚板２の下面に設けてあるので、正面から見てラッチ装置３が目立たず意匠性が良く、且つ商品の陳列の邪魔にならない。さらにラッチ装置３が小ぶりなので、棚板２とベース１の厚みを薄くできる。ラッチ部（ラッチ装置３、ラッチ持ち出し部７及びベース１のラッチ係合部（折返し部６））の構造が簡単なので安価で壊れにくく、万が一壊れた場合も簡単に取替えできる。棚板２をベース１から取外す際に、ラッチ部がその妨げにならない。
また本スライド棚１０は、一般的にスライド棚に用いられるスライドレール（特許文献１参照）を使用せず、ベース１と棚板２に設けたレール部２１，２６を前後のローラー２３，２６を介してスライドさせる機構を採用したので、構造が簡単で安価に製作することができ、しかも壊れにくい。また、ベース１と棚板２を合わせたスライド棚１０の厚みを薄くすることができる。しかも、棚板２をベース１と工具レスで簡単に分離できるため、棚の設置作業や清掃等が容易である。ベース１に、支柱１１の係止孔１６に引っ掛ける係止爪２２を設けたので、スライド棚１０が外れたり後方が浮き上がったりするのを確実に防止できる。本スライド棚１０は、既存の通常の商品陳列棚のブラケット１２及び支柱１１にそのまま取付けることができ、使いやすい。
【００１９】
図１１は、本発明のスライド棚１０の他の実施形態を示しており、ベース１の横材１９前部の形態が先の実施形態と異なっている。横材１９は、前壁３４が前方に上り勾配で傾斜して設けてあり、前壁３４の中央部に角孔３６を形成し、角孔３６にラッチ爪４が係合するようにしている。前壁３４の上縁には後方に折り返す折返し部３５が連続して形成してあり、前壁３４と折返し部３５との角部９がラッチ持ち出し部７のテーパー部８に当接している。横材１９をこのように形成した場合も、先の実施形態と同様に、棚板２をワンアクションで容易に引き出せる、棚板２が荷重を受けて撓んでもラッチ爪４が係合部（角孔３６）から外れないといった効果が得られる。
【００２０】
本発明は以上に述べた実施形態に限定されない。ラッチ装置３を設置する位置は、棚板２の左右両端部より内側にあればよく、必ずしも棚板２の中央部でなくてもよい。ラッチ装置３の形態や棚板２をスライドさせる機構は、適宜変更することができる。
【符号の説明】
【００２１】
１  ベース
２  棚板
３  ラッチ装置
４  ラッチ爪
５  操作部
６  折返し部（係合部）
７  ラッチ持ち出し部
８  テーパー部
９  角部（当接部）
１０  スライド棚
１１  支柱
１２  ブラケット
３６  角孔（係合部）
【図１】
2011245222.tif 000003
【図２】
2011245222.tif 000004
【図３】
2011245222.tif 000005
【図４】
2011245222.tif 000006
【図５】
2011245222.tif 000007
【図６】
2011245222.tif 000008
【図７】
2011245222.tif 000009
【図８】
2011245222.tif 000010
【図９】
2011245222.tif 000011
【図１０】
2011245222.tif 000012
【図１１】
2011245222.tif 000013